(57)【要約】【課題】バスバが発する熱を他部品側に拡散させることなく放熱することができる電気接続箱を提供する。【解決手段】電気接続箱１は、バスバを含む複数の部品が取り付けられるカセットブロック２と、該カセットブロック２が嵌め込まれる枠部３と、で構成されたフレーム４を備えている。カセットブロック２には、リレーやヒューズが取り付けられる部品取付部や、入力電源線のコネクタが嵌合されるコネクタ嵌合部２１が設けられている。コネクタ嵌合部２１においては、前記コネクタがバスバの電源入力部に電気接続される。本電気接続箱１には、コネクタ嵌合部２１の直上を包囲した放熱包囲壁７が設けられている。放熱包囲壁７は、カセットブロック２の一部及び枠部３の一部で構成されており、その内側には、何れの部品も取り付けられない放熱空間Ｓが形成されている。【選択図】図１
2014121223.tif 000002
【特許請求の範囲】
【請求項１】
バスバを含む複数の部品が取り付けられるフレームを備えた電気接続箱において、
前記フレームにおける前記バスバの所定部位の直上を包囲した放熱包囲壁が設けられ、
前記放熱包囲壁の内側は、何れの部品も取り付けられない
ことを特徴とする電気接続箱。
【請求項２】
前記フレームが、カセットブロックと、該カセットブロックが嵌め込まれる枠部と、で構成されており、
前記放熱包囲壁が、前記カセットブロックの一部及び前記枠部の一部で構成されている
ことを特徴とする請求項１に記載の電気接続箱。
【請求項３】
前記フレームが、カセットブロックと、該カセットブロックが嵌め込まれる枠部と、で構成されており、
前記放熱包囲壁が、前記カセットブロックに一体に設けられている
ことを特徴とする請求項１に記載の電気接続箱。
【請求項４】
前記所定部位が、前記バスバの電源入力部である
ことを特徴とする請求項１ないし請求項３のうちいずれか１項に記載の電気接続箱。
【発明の詳細な説明】
【技術分野】
【０００１】
本発明は、自動車に搭載される電気接続箱に関するものである。
【背景技術】
【０００２】
自動車には電気接続箱が搭載されている。電気接続箱は様々な構造のものがあるが、例えば、バスバ、コネクタ、リレー、ヒューズ等の複数の部品が取り付けられるフレームと、該フレームの開口部を覆うカバーと、を備えたものが知られている（特許文献１を参照。）。
【０００３】
上記バスバは、金属板にプレス加工等が施されて得られる配線部材であり、主に、バッテリやオルタネータからの電源をヒューズやリレーを介して分岐するものである。
【先行技術文献】
【特許文献】
【０００４】
【特許文献１】特開２０１２−１７０２０４号公報
【発明の概要】
【発明が解決しようとする課題】
【０００５】
上述した電気接続箱においては、大電流が流れることによりバスバが発熱し、他部品に悪影響を及ぼすという問題があった。
【０００６】
したがって、本発明は、バスバが発する熱を他部品側に拡散させることなく放熱することができる電気接続箱を提供することを目的とする。
【課題を解決するための手段】
【０００７】
上記目的を達成するために請求項１に記載された発明は、バスバを含む複数の部品が取り付けられるフレームを備えた電気接続箱において、前記フレームにおける前記バスバの所定部位の直上を包囲した放熱包囲壁が設けられ、前記放熱包囲壁の内側は、何れの部品も取り付けられないことを特徴とする電気接続箱である。
【０００８】
請求項２に記載された発明は、請求項１に記載された発明において、前記フレームが、カセットブロックと、該カセットブロックが嵌め込まれる枠部と、で構成されており、前記放熱包囲壁が、前記カセットブロックの一部及び前記枠部の一部で構成されていることを特徴とするものである。
【０００９】
請求項３に記載された発明は、請求項１に記載された発明において、前記フレームが、カセットブロックと、該カセットブロックが嵌め込まれる枠部と、で構成されており、前記放熱包囲壁が、前記カセットブロックに一体に設けられていることを特徴とするものである。
【００１０】
請求項４に記載された発明は、請求項１ないし請求項３のうちいずれか１項に記載された発明において、前記所定部位が、前記バスバの電源入力部であることを特徴とするものである。
【発明の効果】
【００１１】
請求項１〜３に記載された発明によれば、放熱包囲壁が設けられているので、バスバの所定部位において生じた熱を、他部品側に拡散させることなく、他部品が配置されていない上方へ放熱することができる。
【００１２】
請求項４に記載された発明によれば、バスバの電源入力部において生じた熱を、他部品側に拡散させることなく、他部品が配置されていない上方へ放熱することができる。
【図面の簡単な説明】
【００１３】
【図１】本発明の第１の実施形態にかかる電気接続箱を示す斜視図である。
【図２】図１に示された電気接続箱の要部拡大図である。
【図３】図１に示された電気接続箱の分解図である。
【図４】本発明の第２の実施形態にかかる電気接続箱を構成するカセットブロックを示す斜視図である。
【図５】図４に示されたカセットブロックの断面図である。
【発明を実施するための形態】
【００１４】
（第１の実施形態）
本発明の第１の実施形態にかかる「電気接続箱」を図１〜３を参照して説明する。前記電気接続箱は、自動車に搭載されて、前記自動車に搭載された電子機器に対して電力供給及び信号伝達を行うものである。
【００１５】
図１〜３に示すように、電気接続箱１は、フレーム４と、このフレーム４に取り付けられる複数の部品、サイドカバー５、アッパカバー及びロアカバー（不図示）と、を備えている。フレーム４は、カセットブロック２と、カセットブロック２が嵌め込まれる枠部３と、で構成されている。サイドカバー５は、枠部３に取り付けられる。また、カセットブロック２、枠部３、サイドカバー５、アッパカバー及びロアカバーは、合成樹脂で構成されている。
【００１６】
上記カセットブロック２には、図３に示す複数のバスバ６ａ，６ｂ，６ｃが取り付けられるバスバ差込溝と、図１に示すヒューズ１１，１２，１３及びリレー１４が取り付けられる部品取付部２２と、入力電源線のコネクタが嵌合されるコネクタ嵌合部２１と、が設けられている。
【００１７】
上記複数のバスバ６ａ，６ｂ，６ｃは、金属板にプレス加工等が施されて得られる配線部材であり、主に、バッテリやオルタネータからの電源をヒューズ１１，１２，１３やリレー１４を介して分岐するものである。また、バスバ６ａには、上記コネクタ嵌合部２１内に配置されて上記入力電源線のコネクタと電気接続される電源入力部６１と、上記部品取付部２２内に配置されて上記ヒューズ１１，１２，１３と電気接続される部品接続部６２と、が設けられている。また、前記電源入力部６１は、バスバ６ａにおいて特に高温になる部位である。
【００１８】
上記枠部３には、枠状の外壁３０と、外壁３０の内側に設けられた複数の内壁３１と、が設けられている。
【００１９】
また、図１に示すように、電気接続箱１には、コネクタ嵌合部２１の直上、すなわち電源入力部６１の直上、を包囲した放熱包囲壁７が設けられている。放熱包囲壁７は、カセットブロック２の一部及び枠部３の一部で構成されており、その内側には、何れの部品も取り付けられない放熱空間Ｓが形成されている。
【００２０】
上記放熱包囲壁７は、詳細には、図２に示すように、カセットブロック２に設けられた３つの壁２３，２４，２５と、枠部３に設けられた内壁３１ａと、で構成されている。３つの壁２３，２４，２５は、コ字状に連なっており、壁２３と壁２５は対向している。そして、カセットブロック２が枠部３内に嵌め込まれることにより、壁２４と内壁３１ａが対向する。
【００２１】
このような電気接続箱１においては、コネクタ嵌合部２１の直上に放熱包囲壁７が設けられているので、バスバ６ａの電源入力部６１（請求項の「所定部位」）において生じた熱を、他部品側、すなわち部品取付部２２側、に拡散させることなく、他部品が配置されていない上方へ放熱することができる（熱の移動方向を図２中の矢印Ｋで示す）。
【００２２】
（第２の実施形態）
本発明の第２の実施形態にかかる「電気接続箱」を図４，５を参照して説明する。また、図４，５において、前述した第１の実施形態と同一構成部分には同一符号を付して説明を省略する。
【００２３】
本実施形態においても、フレームは、カセットブロック１０２と、カセットブロック１０２が嵌め込まれる枠部（不図示）と、で構成されている。また、本実施形態においては、図４に示すように、放熱包囲壁１０７が、カセットブロック１０２に一体に設けられている。
【００２４】
このような電気接続箱においては、第１の実施形態の電気接続箱１と同様に、コネクタ嵌合部２１の直上に放熱包囲壁１０７が設けられているので、バスバの電源入力部において生じた熱を、他部品側、すなわち部品取付部２２側、に拡散させることなく、他部品が配置されていない上方へ放熱することができる（熱の移動方向を図５中の矢印Ｋで示す）。
【００２５】
また、上述した第１の実施形態及び第２の実施形態においては、フレームが、別体のカセットブロック及び枠部で構成されていたが、本発明においては、カセットブロック及び枠部が一体形成されていても良い。
【００２６】
また、上述した第１の実施形態及び第２の実施形態においては、コネクタ嵌合部２１の直上、すなわち電源入力部６１の直上、に放熱包囲壁７，１０７が設けられていたが、本発明においては、放熱包囲壁を、電源入力部６１の直上に限らず、バスバの放熱を必要とする任意の部位の直上に設けることができる。
【００２７】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２８】
１  電気接続箱
２，１０２  カセットブロック
３  枠部
４  フレーム
６ａ  バスバ
７，１０７  放熱包囲壁
６１  電源入力部（所定部位）
【図１】
2014121223.tif 000003
【図２】
2014121223.tif 000004
【図３】
2014121223.tif 000005
【図４】
2014121223.tif 000006
【図５】
2014121223.tif 000007